(57)【要約】【課題】コードやプラグの通電状態を発光素子で表示しアイロンやこたつなどの発熱電気機器のコードの抜き忘れを防止して、火災の危険を防止し、更に市販の発熱電気機器のコードにも簡単に接続して使用できる抜き忘れ防止コードおよびプラグを提供するものである。【解決手段】プラグケース４から２本の端子ブレード６、６を突設させたプラグ３をコード１の一端に接続し、端子ブレード６が挿着される差し込み口１６を形成したコンセント１５をコード１の他端に接続し、前記プラグケース４は少なくとも一部を半透明のプラスチックで形成すると共に、プラグケース４の内側の両端子ブレード６、６間に、発光素子９を接続し、また前記コンセント１５の差し込み口１６がツイストロック機構１７を備えているものである。【選択図】図４
2005267919.tif 000002
【特許請求の範囲】
【請求項１】
プラグケースから２本の端子ブレードを突設させたプラグを、コードの一端に接続し、コードの他端に発熱電気機器を接続し、前記プラグケースは少なくとも一部を透明または半透明のプラスチックで形成すると共に、プラグケースの内側の両端子ブレード間に、発光素子を接続したことを特徴とする抜き忘れ防止コード。
【請求項２】
プラグケースから２本の端子ブレードを突設させたプラグをコードの一端に接続し、端子ブレードが挿着される差し込み口を形成したコンセントをコードの他端に接続し、前記プラグケースは少なくとも一部を透明または半透明のプラスチックで形成すると共に、プラグケースの内側の両端子ブレード間に、発光素子を接続し、また前記コンセントの差し込み口がツイストロック機構を備えていることを特徴とする抜き忘れ防止コード。
【請求項３】
プラグケースから２本の端子ブレードを突設すると共に、これに隣接して端子ブレードが挿着される差し込み口を形成し、前記プラグケースは少なくとも一部を透明または半透明のプラスチックで形成すると共に、プラグケースの内側の両端子ブレード間に、発光素子を接続し、また前記差し込み口がツイストロック機構を備えていることを特徴とする抜き忘れ防止プラグ。
【発明の詳細な説明】
【技術分野】
【０００１】
本発明は、発熱電気機器に接続して、コードの抜き忘れを防止するようにしたコードおよびプラグに関するものである。
【背景技術】
【０００２】
一般にアイロンや電気こたつ、電熱ヒーター、ホットプレート、半田コテなどの発熱電気機器を使用する場合、発熱電気機器に取付けたコードの先端のプラグを電源のコンセントに接続して使用している。アイロン本体には、スイッチを入れると通電状態を表示するランプが点灯し、スイッチを切ったり、温度が設定温度以上になるとランプが消灯する構成になっているものもある。
【０００３】
しかしながら、ランプが消灯していてもアイロンの温度が低下すると再び通電状態になることもあり、外出前の忙しい時に使用すると、アイロン本体のスイッチを切ったと錯覚して、コードを電源のコンセントから抜き忘れて外出してしまう恐れがある。このため火災の危険性があるばかりでなく、無駄な電力を消費してしまう問題があった。
【０００４】
また一般に半田コテには通電状態を表示するランプが取付けられておらず、通電状態はコテに手を近付けて確認している。このため、現場などで使用している時に、電源が入っていないと思ってコテに触れて火傷をする恐れがあり、また作業を終わって電源のコンセントから抜き忘れて火災となる恐れもあった。
【０００５】
また複数個の差し込み口を設けてパソコン周辺機器の電源をとるテーブルタップに、メインスイッチと連動させて通電状態をランプで表示するものがある。しかしながらこれは、接続した個々の機器の通電状態を表示するものではなく、コードの抜き忘れの防止効果はない。また２００Ｖ電源に１００Ｖ機器を接続した時に、発光素子が点灯して、１００Ｖ機器の誤接続を防止するようにしたコンセント装置が提案されている（例えば特許文献１）。しかしながら、これは誤接続を防止するもので、発熱電気機器に接続したコードの抜き忘れを防止するものではない。
【特許文献１】特開２００１−１５２２１号公報
【発明の開示】
【発明が解決しようとする課題】
【０００６】
本発明は上記問題を改善し、コードやプラグの通電状態を発光素子で表示しアイロンやこたつなどの発熱電気機器のコードの抜き忘れを防止して、火災の危険を防止し、更に市販の発熱電気機器のコードにも簡単に接続して使用できる抜き忘れ防止コードおよびプラグを提供するものである。
【課題を解決するための手段】
【０００７】
本発明の請求項１記載の抜き忘れ防止コードは、プラグケースから２本の端子ブレードを突設させたプラグを、コードの一端に接続し、コードの他端に発熱電気機器を接続し、前記プラグケースは少なくとも一部を透明または半透明のプラスチックで形成すると共に、プラグケースの内側の両端子ブレード間に、発光素子を接続したことを特徴とするものである。
【０００８】
本発明の請求項２記載の抜き忘れ防止コードは、プラグケースから２本の端子ブレードを突設させたプラグをコードの一端に接続し、端子ブレードが挿着される差し込み口を形成したコンセントをコードの他端に接続し、前記プラグケースは少なくとも一部を透明または半透明のプラスチックで形成すると共に、プラグケースの内側の両端子ブレード間に、発光素子を接続し、また前記コンセントの差し込み口がツイストロック機構を備えていることを特徴とするものである。
【０００９】
本発明の請求項３記載の抜き忘れ防止プラグは、プラグケースから２本の端子ブレードを突設すると共に、これに隣接して端子ブレードが挿着される差し込み口を形成し、前記プラグケースは少なくとも一部を透明または半透明のプラスチックで形成すると共に、プラグケースの内側の両端子ブレード間に、発光素子を接続し、また前記差し込み口がツイストロック機構を備えていることを特徴とするものである。
【発明の効果】
【００１０】
本発明に係る請求項１記載の抜き忘れ防止コードによれば、発熱電気機器のコードの先端に取付けたプラグをコンセントに接続すると、プラグケース内の両端子ブレードの間に接続した発光素子が点灯する。このため発熱電気機器のスイッチを切っても、コードが電源コンセントに接続されている状態であることを目視によって確認することができる。つまり発熱電気機器のスイッチを切り忘れても、注意を喚起し、コードの抜き忘れを防止して火災の発生や、無駄な電力の消費を防止することができる。
【００１１】
また請求項２記載の抜き忘れ防止コードによれば、コードの一端に、発光素子を設けたプラグを接続し、コードの他端に差し込み口がツイストロック機構を備えたコンセントを接続したので、市販の発熱電気機器のコードに簡単に取付けられて安全性を向上させることができる。
【００１２】
また請求項３記載の抜き忘れ防止プラグによれば、コードがなく小型であり、発熱電気機器のコードに取付けたプラグと簡単に連結できるので、市販の発熱電気機器の安全性を向上させることができる。
【発明を実施するための最良の形態】
【００１３】
コードの通電状態を発光素子で表示しアイロンなどの発熱電気機器のコードの抜き忘れを防止して、更に市販の発熱電気機器のコードにも簡単に接続して使用できる抜き忘れ防止コードおよびプラグを実現した。
【実施例１】
【００１４】
以下本発明の実施例を図１ないし図３を参照して詳細に説明する。図において１は抜き忘れ防止コードで、これは一端がアイロン２に接続され、他端にプラグ３が一体に接続されている。プラグ３のプラグケース４は図３に示すように、不透明のプラスチック５ａで本体部分を形成し、その上面と下面の一部を円形の半透明プラスチック５ｂで形成されている。
【００１５】
プラグケース４の先端には、図２に示すように、２本の端子ブレード６、６が突設されている。またプラグケース４の背面側からはアイロン２に接続されたコード１が挿入され、その先端が分岐して２本の端子ブレード６、６の後端側に接続されている。このプラグケース４の内部で、前記２本の端子ブレード６、６の間に、抵抗８と赤色の発光ダイオード（ＬＥＤ）などの発光素子９および整流作用をなすダイオード１０が直列に接続されている。なお発光素子９は、プラグケース４の円形の半透明プラスチック５ｂの部分に対向して配置されている。
【００１６】
上記構成の抜き忘れ防止コード１を一体に取付けたアイロン２を使用する場合、抜き忘れ防止コード１の先端に取付けたプラグ３の端子ブレード６、６を壁コン図１に示すようにコセント１１の差し込み口に挿着する。端子ブレード６、６が電源に接続されると図２に示すように、両端子ブレード６、６は抵抗８と発光素子９およびダイオード１０を介して接続されて通電状態となり、発光素子９が赤く点灯する。
【００１７】
プラグケース４は、その上面と下面の一部を円形の半透明プラスチック５ｂで形成されているので、発光素子９の点灯により、半透明プラスチック５ｂの部分が円形に赤く光る。このためアイロン２のコード１がコンセント１１に接続されていることを目視で確認することができる。またプラグケース４は比較的大きな面積があるので、円形の半透明プラスチック５ｂの部分を大きく形成でき、離れていても容易に確認することができる。
【００１８】
アイロン２のスイッチ１２を入れると、アイロン２の通電ランプ１３が点灯し、ヒータに通電されて発熱し、温度設定装置によりオン・オフを繰り返して設定温度に保持される。通常はアイロン掛けが終わって、スイッチ１２を切ってから、コード１をコンセントから抜いて二重に安全を確認しているが、スイッチ１２を切っただけでは、抜き忘れ防止コード１がコンセント１１に差し込まれたままなので、プラグ３は赤く光ってまだコードが接続されたままの状態であることを目視で確認することができる。この後、抜き忘れ防止コード１のプラグ３をコンセント１１から引き抜くと、発光素子９の電源回路が遮断されて消灯する。
【００１９】
従って万一、温度が設定温度以上になって通電ランプ１３が消灯している状態で、アイロン２のスイッチ１２を切り忘れていても、プラグ３が赤く光っているので注意を喚起し、コード１の抜き忘れを防止することができる。
【実施例２】
【００２０】
図４および図５は本発明の他の実施例を示すもので、この抜き忘れ防止コード１は、一端にプラグ３が接続され、他端にコンセント１５を取付け、全体として２０ｃｍ程度に短く形成したものである。前記プラグ３は図２および図３に示すものと同様に、一部を円形の半透明プラスチック５ｂで形成したプラグケース４の内部で、２本の端子ブレード６、６の間に、抵抗８と赤色の発光素子９およびダイオード１０が直列に接続した構成をなしている。
【００２１】
またコンセント１５の差し込み口１６は円弧状をなし、端子ブレードを差し込んで回転させることによりロックされて、そのまま引き抜くことができないツイストロック機構１７となっている。
【００２２】
上記構成の抜き忘れ防止コード１は、図５に示すように、市販のアイロン２のコード１Ａの先端に取付けられたプラグ３Ａの端子ブレードを、コンセント１５の差し込み口１６に差し込んで回転させるとツイストロック機構１７により固定される。次に抜き忘れ防止コード１の先端に取付けたプラグ３の端子ブレード６、６を壁コンセント１１の差し込み口に挿着する。端子ブレード６、６が電源に接続されると、抵抗８と発光素子９およびダイオード１０を介して接続されて通電状態となり、発光素子９が点灯してプラグケース４が赤色に明るく点灯する。
【００２３】
アイロン掛けが終わって、スイッチ１２を切っても、抜き忘れ防止コード１がコンセント１１に差し込まれたままなのでプラグ３は赤く光って目視で確認できる。この後、アイロン２のコード１Ａを持って強く引っ張っても、コード１Ａの先端のプラグ３Ａはコンセント１５にツイストロック機構１７で連結されているので外れず、先端の抜き忘れ防止コード１のプラグ３が壁コンセント１１から外れて、発光素子９が消灯する。
【００２４】
つまり、ツイストロック機構１７がないと、アイロン２のコード１Ａをコンセント１５から抜いただけでは、プラグ３の発光素子９が常時、点灯している状態となり、アイロン２を使用中だけコード１Ａが電源に接続されているという認識がなくなる恐れがあるからである。この抜き忘れ防止コード１は市販の発熱電気機器のコードに簡単に取付けられるので、安全性を向上させることができる。
【００２５】
図６は本発明の異なる他の実施例を示すもので、プラグ３の端子ブレード６、６が回転式になっているものに適用したもので内部構造は図２と同様である。
【００２６】
図７および図８は本発明の異なる他の実施例を示すもので、プラグケース４に端子ブレード６、６とコンセント１５を一体に形成した抜き忘れ防止プラグ２０である。これは図８に示すようにプラグケース４は、不透明のプラスチック５ａで本体部分を形成し、その上面と背面の一部が半透明プラスチック５ｂで形成されている。
【００２７】
プラグケース４の前面下部には、２本の端子ブレード６、６が突設されている。またプラグケース４の上面には差し込み口１６が形成され、ここにツイストロック機構１７が設けられている。このツイストロック機構１７と端子ブレード６、６は導電板２１、２１で接続されている。更に前記２本の端子ブレード６、６の間に、抵抗８と赤色の発光ダイオード（ＬＥＤ）などの発光素子９および整流作用をなすダイオード１０が直列に接続されている。
【００２８】
上記構成の抜き忘れ防止プラグ２０は、図７に示すように市販のアイロン２のコード１Ａの先端に取付けられたプラグ３Ａの端子ブレード６、６を、コンセント１５の差し込み口１６に差し込んで回転させるとツイストロック機構１７により固定される。次に端子ブレード６、６を壁コンセント１１やテーブルタップの差し込み口に挿着すると、発光素子９が通電状態となり、プラグケース４が赤色に明るく点灯する。
【００２９】
従って、この抜き忘れ防止プラグ２０では、コードが不要で小型であり、アイロンコード１Ａのプラグ３Ａと一体に連結されるので、市販の発熱電気機器のコードに簡単に取付けられ、安全性を向上させることができる。
【産業上の利用可能性】
【００３０】
なお上記説明ではアイロンコードの抜き忘れ防止コードとプラグについて示したが、電気こたつや電熱ヒーター、ホットプレート、電気ポット、コーヒーメーカー、テレビ、半田コテなどの発熱電気機器に広く使用でき、また市販の発熱電気機器に取付けたコードにも簡単に取付けて安全性を高めることができる。またプラグケース４は半透明プラスチック５ｂで形成したものについて示したが、全部透明なスケルトンタイプのものでも良い。
【図面の簡単な説明】
【００３１】
【図１】本発明の実施例による抜き忘れ防止コードをアイロンに取付けた状態を示す説明図である。
【図２】図１のプラグを示す水平断面図である。
【図３】図２のプラグを示す縦断面図である。
【図４】本発明の他の実施例による抜き忘れ防止コードを示す斜視図である。
【図５】図４の抜き忘れ防止コードをアイロンに取付けた状態を示す説明図である。
【図６】本発明の異なる他の実施例による抜き忘れ防止コードのプラグを示す平面図である。
【図７】本発明の異なる他の実施例による抜き忘れ防止プラグを示す斜視図である。
【図８】図７のプラグを示す縦断面図である。
【符号の説明】
【００３２】
１    抜き忘れ防止コード                                  
２    アイロン                                            
３    プラグ                                              
４    プラグケース                                      
５ａ  不透明のプラスチック                              
５ｂ  半透明プラスチック                              
６    端子ブレード                                    
８    抵抗                                                
９    発光素子                                            
１０  ダイオード                                      
１１  壁コンセント                                
１２  スイッチ                                      
１３  通電ランプ                                      
１５  コンセント                                      
１６  差し込み口                                        
１７  ツイストロック機構
２０  抜き忘れ防止プラグ
【図１】
2005267919.tif 000003
【図２】
2005267919.tif 000004
【図３】
2005267919.tif 000005
【図４】
2005267919.tif 000006
【図５】
2005267919.tif 000007
【図６】
2005267919.tif 000008
【図７】
2005267919.tif 000009
【図８】
2005267919.tif 000010